(57)【特許請求の範囲】
【請求項１】
復調を行うために必要な制御データに、ダミーデータをパディングするパディング手段と、
前記パディング後の制御データであるパディング後制御データを対象として、スクランブルを行うスクランブル手段と、
前記スクランブル後のパディング後制御データのうちの、スクランブルされているダミーデータを、前記ダミーデータに置換して、置換データを生成する置換手段と、
誤り訂正符号化の対象のデータのパリティビットを求め、前記誤り訂正符号化の対象のデータに、前記パリティビットを付加したデータを、誤り訂正符号として求めて、前記置換データの誤り訂正符号化を行う誤り訂正符号化手段と、
前記誤り訂正符号に含まれる前記ダミーデータの削除、及び、前記誤り訂正符号のパリティビットのパンクチャである短縮化を行う短縮化手段と
を備え、
前記誤り訂正符号化によって得られた誤り訂正符号を含むフレームである新フレームは、DVB-T.2に規定されたT2フレームと多重化されて送信される
データ処理装置。
【請求項２】
復調を行うために必要な制御データを対象として、スクランブルを行うスクランブル手段と、
前記スクランブル後の制御データに、ダミーデータをパディングするパディング手段と、
誤り訂正符号化の対象のデータのパリティビットを求め、前記誤り訂正符号化の対象のデータに、前記パリティビットを付加したデータを、誤り訂正符号として求めて、前記スクランブル後の制御データに、ダミーデータをパディングしたパディング後スクランブルデータの誤り訂正符号化を行う誤り訂正符号化手段と、
前記誤り訂正符号に含まれる前記ダミーデータの削除、及び、前記誤り訂正符号のパリティビットのパンクチャである短縮化を行う短縮化手段と
を備え、
前記誤り訂正符号化によって得られた誤り訂正符号を含むフレームである新フレームは、DVB-T.2に規定されたT2フレームと多重化されて送信される
データ処理装置。
【請求項３】
前記パディング手段は、パディング後のデータのデータ長が、前記誤り訂正符号化の対象となるデータ長になるように、前記ダミーデータをパディングする
請求項１又は２に記載のデータ処理装置。
【請求項４】
前記スクランブル手段は、
シリーズに接続された１５個のレジスタを有し、後段のレジスタが前段のレジスタにラッチされたビットをラッチするレジスタ群と、
１４番目のレジスタにラッチされたビットと、１５番目のレジスタにラッチされたビットとの排他的論理和を演算する第１のEXOR回路と、
前記第１のEXOR回路の出力と、スクランブル対象のデータとの排他的論理和を演算し、その演算結果を、スクランブル後のデータとして出力する第２のEXOR回路と
を有し、
前記レジスタ群の１番目のレジスタは、前記第１のEXOR回路の出力をラッチし、
前記レジスタ群の１ないし１５番目のレジスタには、初期値として、ビット1,0,0,1,0,1,0,1,0,0,0,0,0,0,0が、それぞれセットされる
請求項１又は２に記載のデータ処理装置。
【請求項５】
前記制御データは、
実データの復調を行うために必要な第１のデータ、
前記第１のデータの復調を行うために必要な第２のデータ、
又は、前記第１及び第２のデータの両方
である
請求項１又は２に記載のデータ処理装置。
【請求項６】
前記T2フレーム、及び、新フレームの先頭には、プリアンブルが配置され、
前記T2フレームのプリアンブルは、前記T2フレームであることを表す情報を含み、
前記新フレームのプリアンブルは、前記新フレームであることを表す情報を含む
請求項１又は２に記載のデータ処理装置。
【請求項７】
復調を行うために必要な制御データに、ダミーデータをパディングし、
前記パディング後の制御データであるパディング後制御データを対象として、スクランブルを行い、
前記スクランブル後のパディング後制御データのうちの、スクランブルされているダミーデータを、前記ダミーデータに置換して、置換データを生成し、
誤り訂正符号化の対象のデータのパリティビットを求め、前記誤り訂正符号化の対象のデータに、前記パリティビットを付加したデータを、誤り訂正符号として求めて、前記置換データの誤り訂正符号化を行い、
前記誤り訂正符号に含まれる前記ダミーデータの削除、及び、前記誤り訂正符号のパリティビットのパンクチャである短縮化を行う
ステップを含み、
前記誤り訂正符号化によって得られた誤り訂正符号を含むフレームである新フレームは、DVB-T.2に規定されたT2フレームと多重化されて送信される
データ処理方法。
【請求項８】
復調を行うために必要な制御データを対象として、スクランブルを行い、
前記スクランブル後の制御データに、ダミーデータをパディングし、
誤り訂正符号化の対象のデータのパリティビットを求め、前記誤り訂正符号化の対象のデータに、前記パリティビットを付加したデータを、誤り訂正符号として求めて、前記スクランブル後の制御データに、ダミーデータをパディングしたパディング後スクランブルデータの誤り訂正符号化を行い、
前記誤り訂正符号に含まれる前記ダミーデータの削除、及び、前記誤り訂正符号のパリティビットのパンクチャである短縮化を行う
ステップを含み、
前記誤り訂正符号化によって得られた誤り訂正符号を含むフレームである新フレームは、DVB-T.2に規定されたT2フレームと多重化されて送信される
データ処理方法。
【請求項９】
復調を行うために必要な制御データに、ダミーデータをパディングし、
前記パディング後の制御データであるパディング後制御データを対象として、スクランブルを行い、
前記スクランブル後のパディング後制御データのうちの、スクランブルされているダミーデータを、前記ダミーデータに置換して、置換データを生成し、
前記置換データの誤り訂正符号化を行う
送信装置で得られる誤り訂正符号を、前記置換データに復号する誤り訂正を行う誤り訂正手段と、
前記置換データを対象として、デスクランブルを行うデスクランブル手段と
を備え、
前記送信装置は、前記誤り訂正符号化によって得られた誤り訂正符号に含まれる前記ダミーデータの削除、及び、前記誤り訂正符号のパリティビットのパンクチャである短縮化を行い、
前記送信装置で得られる短縮化後の誤り訂正符号に、前記ダミーデータをパディングし、パリティビットのデパンクチャを行うことにより、短縮化前の誤り訂正符号を復元する復元手段をさらに備え、
前記誤り訂正符号化によって得られた誤り訂正符号を含むフレームである新フレームは、DVB-T.2に規定されたT2フレームと多重化されて送信される
データ処理装置。
【請求項１０】
復調を行うために必要な制御データを対象として、スクランブルを行い、
前記スクランブル後の制御データに、ダミーデータをパディングし、
前記スクランブル後の制御データに、ダミーデータをパディングしたパディング後スクランブルデータの誤り訂正符号化を行う
送信装置で得られる誤り訂正符号を、前記パディング後スクランブルデータに復号する誤り訂正を行う誤り訂正手段と、
前記パディング後スクランブルデータのうちの、前記ダミーデータを削除し、前記スクランブル後の制御データを出力する削除手段と、
前記スクランブル後の制御データを対象として、デスクランブルを行うデスクランブル手段と
を備え、
前記送信装置は、前記誤り訂正符号化によって得られた誤り訂正符号に含まれる前記ダミーデータの削除、及び、前記誤り訂正符号のパリティビットのパンクチャである短縮化を行い、
前記送信装置で得られる短縮化後の誤り訂正符号に、前記ダミーデータをパディングし、パリティビットのデパンクチャを行うことにより、短縮化前の誤り訂正符号を復元する復元手段をさらに備え、
前記誤り訂正符号化によって得られた誤り訂正符号を含むフレームである新フレームは、DVB-T.2に規定されたT2フレームと多重化されて送信される
データ処理装置。
【請求項１１】
前記デスクランブル後の置換データのうちの、デスクランブルされているダミーデータを削除する削除手段をさらに備える
請求項９に記載のデータ処理装置。
【請求項１２】
前記ダミーデータのパディングは、パディング後のデータのデータ長が、前記誤り訂正符号化の対象となるデータ長になるように行われる
請求項９又は１０に記載のデータ処理装置。
【請求項１３】
前記スクランブルは、
１５個のレジスタを有し、後段のレジスタが前段のレジスタにラッチされたビットをラッチするレジスタ群と、
１４番目のレジスタにラッチされたビットと、１５番目のレジスタにラッチされたビットとの排他的論理和を演算する第１のEXOR回路と、
前記第１のEXOR回路の出力と、スクランブル対象のデータとの排他的論理和を演算し、その演算結果を、スクランブル後のデータとして出力する第２のEXOR回路と
を有し、
前記レジスタ群の１番目のレジスタは、前記第１のEXOR回路の出力をラッチし、
前記レジスタ群の１ないし１５番目のレジスタには、初期値として、ビット1,0,0,1,0,1,0,1,0,0,0,0,0,0,0が、それぞれセットされる
スクランブル手段によって行われる
請求項９又は１０に記載のデータ処理装置。
【請求項１４】
前記制御データは、
実データの復調を行うために必要な第１のデータ、
前記第１のデータの復調を行うために必要な第２のデータ、
又は、前記第１及び第２のデータの両方
である
請求項９又は１０に記載のデータ処理装置。
【請求項１５】
前記T2フレーム、及び、新フレームの先頭には、プリアンブルが配置され、
前記T2フレームのプリアンブルは、前記T2フレームであることを表す情報を含み、
前記新フレームのプリアンブルは、前記新フレームであることを表す情報を含む
請求項９又は１０に記載のデータ処理装置。
【請求項１６】
復調を行うために必要な制御データに、ダミーデータをパディングし、
前記パディング後の制御データであるパディング後制御データを対象として、スクランブルを行い、
前記スクランブル後のパディング後制御データのうちの、スクランブルされているダミーデータを、前記ダミーデータに置換して、置換データを生成し、
前記置換データの誤り訂正符号化を行う
送信装置で得られる誤り訂正符号を、前記置換データに復号する誤り訂正を行い、
前記置換データを対象として、デスクランブルを行う
ステップを含み、
前記送信装置は、前記誤り訂正符号化によって得られた誤り訂正符号に含まれる前記ダミーデータの削除、及び、前記誤り訂正符号のパリティビットのパンクチャである短縮化を行い、
前記送信装置で得られる短縮化後の誤り訂正符号に、前記ダミーデータをパディングし、パリティビットのデパンクチャを行うことにより、短縮化前の誤り訂正符号を復元するステップをさらに含み、
前記誤り訂正符号化によって得られた誤り訂正符号を含むフレームである新フレームは、DVB-T.2に規定されたT2フレームと多重化されて送信される
データ処理方法。
【請求項１７】
復調を行うために必要な制御データを対象として、スクランブルを行い、
前記スクランブル後の制御データに、ダミーデータをパディングし、
前記スクランブル後の制御データに、ダミーデータをパディングしたパディング後スクランブルデータの誤り訂正符号化を行う
送信装置で得られる誤り訂正符号を、前記パディング後スクランブルデータに復号する誤り訂正を行い、
前記パディング後スクランブルデータのうちの、前記ダミーデータを削除し、前記スクランブル後の制御データを出力し、
前記スクランブル後の制御データを対象として、デスクランブルを行う
ステップを含み、
前記送信装置は、前記誤り訂正符号化によって得られた誤り訂正符号に含まれる前記ダミーデータの削除、及び、前記誤り訂正符号のパリティビットのパンクチャである短縮化を行い、
前記送信装置で得られる短縮化後の誤り訂正符号に、前記ダミーデータをパディングし、パリティビットのデパンクチャを行うことにより、短縮化前の誤り訂正符号を復元するステップをさらに備え、
前記誤り訂正符号化によって得られた誤り訂正符号を含むフレームである新フレームは、DVB-T.2に規定されたT2フレームと多重化されて送信される
データ処理方法。
【発明の詳細な説明】
【技術分野】
【０００１】
本発明は、データ処理装置、及び、データ処理方法に関し、特に、例えば、PAPR(Peak-to-Average Power Ratio)が改善された、復調を行うために必要な制御データの処理を、容易に行うことができるようにするデータ処理装置、及び、データ処理方法に関する。
【背景技術】
【０００２】
ディジタル放送の規格の１つである、例えば、DVB(Digital Video Broadcasting)-T.2では、データの変調方式として、OFDM(Orthogonal Frequency Division Multiplexing)が採用され、T2フレームと呼ばれる単位で、データの送信が行われる（非特許文献１）。
【先行技術文献】
【非特許文献】
【０００３】
【非特許文献１】"Frame structure channel coding and modulation for a second generation digital terrestrial television broadcasting system (DVB-T2)", DVB Document A122 June 2008
【発明の概要】
【発明が解決しようとする課題】
【０００４】
ところで、ディジタル放送の新たな規格である新規格において、データの送信を行う単位となるフレームである新フレームとして、既存の規格、すなわち、例えば、DVB-T.2に規定されているT2フレーム（又は、T2フレームに準じたフレーム）を採用することが考えられる。
【０００５】
新規格において、T2フレームを、新フレームとして採用することにより、新規格に準拠した受信装置では、その新フレーム（のOFDM信号）の処理を、容易に行うことができる。
【０００６】
すなわち、新フレームとして、T2フレームを採用する新規格に準拠した受信装置では、DVB-T.2に準拠した受信装置と同様にして、新フレームの処理を行うことができる。
【０００７】
ここで、T2フレームには、L1と呼ばれる復調を行うために必要な制御データが含まれる、P2シンボルと呼ばれるプリアンブルが配置されるが、T2フレームのP2シンボルのOFDM信号のPAPRは、比較的大きい値になることがある。
【０００８】
T2フレームのP2シンボルのOFDM信号のPAPRが大きい値である場合には、OFDM信号を受信する受信装置において、P2シンボルのOFDM信号の電力が大きいときに、その電力が大きいOFDM信号がクリップされることがあり得る。
【０００９】
そして、受信装置において、OFDM信号がクリップされると、OFDM信号の信号品質が劣化し、OFDM信号の復調に、悪影響を及ぼすことがある。
【００１０】
そこで、新規格では、復調を行うために必要な制御データ（のOFDM信号）のPAPRを改善する（理想的には、PAPRを1にする）ために、OFDM信号を送信する送信装置において、制御データのスクランブル（エネルギ拡散）（ランダム化）を行うことが考えられる。
【００１１】
しかしながら、PAPRを改善するのに、制御データのスクランブルを行うと、受信装置では、制御データについて、スクランブルを元に戻すデスクランブルの他に、制御データのスクランブルを行わない場合とは異なる処理を行う必要が生じることがあり、制御データ（のOFDM信号）の処理（復調）を、容易に行うこと、すなわち、例えば、DVB-T.2に準拠した受信装置と（ほぼ）同様にして、制御データの処理を行うことが困難となる。
【００１２】
本発明は、このような状況に鑑みてなされたものであり、PAPRが改善された制御データの処理を、容易に行うことができるようにするものである。
【課題を解決するための手段】
【００１３】
本発明の第１の側面のデータ処理装置は、復調を行うために必要な制御データに、ダミーデータをパディングするパディング手段と、前記パディング後の制御データであるパディング後制御データを対象として、スクランブルを行うスクランブル手段と、前記スクランブル後のパディング後制御データのうちの、スクランブルされているダミーデータを、前記ダミーデータに置換して、置換データを生成する置換手段と、誤り訂正符号化の対象のデータのパリティビットを求め、前記誤り訂正符号化の対象のデータに、前記パリティビットを付加したデータを、誤り訂正符号として求めて、前記置換データの誤り訂正符号化を行う誤り訂正符号化手段と、前記誤り訂正符号に含まれる前記ダミーデータの削除、及び、前記誤り訂正符号のパリティビットのパンクチャである短縮化を行う短縮化手段とを備え、前記誤り訂正符号化によって得られた誤り訂正符号を含むフレームである新フレームは、DVB-T.2に規定されたT2フレームと多重化されて送信されるデータ処理装置である。
【００１４】
本発明の第１の側面のデータ処理方法は、復調を行うために必要な制御データに、ダミーデータをパディングし、前記パディング後の制御データであるパディング後制御データを対象として、スクランブルを行い、前記スクランブル後のパディング後制御データのうちの、スクランブルされているダミーデータを、前記ダミーデータに置換して、置換データを生成し、誤り訂正符号化の対象のデータのパリティビットを求め、前記誤り訂正符号化の対象のデータに、前記パリティビットを付加したデータを、誤り訂正符号として求めて、前記置換データの誤り訂正符号化を行い、前記誤り訂正符号に含まれる前記ダミーデータの削除、及び、前記誤り訂正符号のパリティビットのパンクチャである短縮化を行うステップを含み、前記誤り訂正符号化によって得られた誤り訂正符号を含むフレームである新フレームは、DVB-T.2に規定されたT2フレームと多重化されて送信されるデータ処理方法である。
【００１５】
以上のような第１の側面においては、復調を行うために必要な制御データに、ダミーデータがパディングされ、前記パディング後の制御データであるパディング後制御データを対象として、スクランブルが行われる。さらに、前記スクランブル後のパディング後制御データのうちの、スクランブルされているダミーデータが、前記ダミーデータに置換されて置換データが生成され、誤り訂正符号化の対象のデータのパリティビットを求め、前記誤り訂正符号化の対象のデータに、前記パリティビットを付加したデータを、誤り訂正符号として求めて、前記置換データの誤り訂正符号化が行われ、前記誤り訂正符号に含まれる前記ダミーデータの削除、及び、前記誤り訂正符号のパリティビットのパンクチャである短縮化が行われる。また、前記誤り訂正符号化によって得られた誤り訂正符号を含むフレームである新フレームは、DVB-T.2に規定されたT2フレームと多重化されて送信される。
【００１６】
本発明の第２の側面のデータ処理装置は、復調を行うために必要な制御データを対象として、スクランブルを行うスクランブル手段と、前記スクランブル後の制御データに、ダミーデータをパディングするパディング手段と、誤り訂正符号化の対象のデータのパリティビットを求め、前記誤り訂正符号化の対象のデータに、前記パリティビットを付加したデータを、誤り訂正符号として求めて、前記スクランブル後の制御データに、ダミーデータをパディングしたパディング後スクランブルデータの誤り訂正符号化を行う誤り訂正符号化手段と、前記誤り訂正符号に含まれる前記ダミーデータの削除、及び、前記誤り訂正符号のパリティビットのパンクチャである短縮化を行う短縮化手段とを備え、前記誤り訂正符号化によって得られた誤り訂正符号を含むフレームである新フレームは、DVB-T.2に規定されたT2フレームと多重化されて送信されるデータ処理装置である。
【００１７】
本発明の第２の側面のデータ処理方法は、復調を行うために必要な制御データを対象として、スクランブルを行い、前記スクランブル後の制御データに、ダミーデータをパディングし、誤り訂正符号化の対象のデータのパリティビットを求め、前記誤り訂正符号化の対象のデータに、前記パリティビットを付加したデータを、誤り訂正符号として求めて、前記スクランブル後の制御データに、ダミーデータをパディングしたパディング後スクランブルデータの誤り訂正符号化を行い、前記誤り訂正符号に含まれる前記ダミーデータの削除、及び、前記誤り訂正符号のパリティビットのパンクチャである短縮化を行うステップを含み、前記誤り訂正符号化によって得られた誤り訂正符号を含むフレームである新フレームは、DVB-T.2に規定されたT2フレームと多重化されて送信されるデータ処理方法である。
【００１８】
以上のような第２の側面においては、復調を行うために必要な制御データを対象として、スクランブルが行われ、前記スクランブル後の制御データに、ダミーデータがパディングされる。そして、誤り訂正符号化の対象のデータのパリティビットを求め、前記誤り訂正符号化の対象のデータに、前記パリティビットを付加したデータを、誤り訂正符号として求めて、前記スクランブル後の制御データに、ダミーデータをパディングしたパディング後スクランブルデータの誤り訂正符号化が行われ、前記誤り訂正符号に含まれる前記ダミーデータの削除、及び、前記誤り訂正符号のパリティビットのパンクチャである短縮化が行われる。さらに、前記誤り訂正符号化によって得られた誤り訂正符号を含むフレームである新フレームは、DVB-T.2に規定されたT2フレームと多重化されて送信される。
【００１９】
本発明の第３の側面のデータ処理装置は、復調を行うために必要な制御データに、ダミーデータをパディングし、前記パディング後の制御データであるパディング後制御データを対象として、スクランブルを行い、前記スクランブル後のパディング後制御データのうちの、スクランブルされているダミーデータを、前記ダミーデータに置換して、置換データを生成し、前記置換データの誤り訂正符号化を行う送信装置で得られる誤り訂正符号を、前記置換データに復号する誤り訂正を行う誤り訂正手段と、前記置換データを対象として、デスクランブルを行うデスクランブル手段とを備え、前記送信装置は、前記誤り訂正符号化によって得られた誤り訂正符号に含まれる前記ダミーデータの削除、及び、前記誤り訂正符号のパリティビットのパンクチャである短縮化を行い、前記送信装置で得られる短縮化後の誤り訂正符号に、前記ダミーデータをパディングし、パリティビットのデパンクチャを行うことにより、短縮化前の誤り訂正符号を復元する復元手段をさらに備え、前記誤り訂正符号化によって得られた誤り訂正符号を含むフレームである新フレームは、DVB-T.2に規定されたT2フレームと多重化されて送信されるデータ処理装置である。
【００２０】
本発明の第３の側面のデータ処理方法は、復調を行うために必要な制御データに、ダミーデータをパディングし、前記パディング後の制御データであるパディング後制御データを対象として、スクランブルを行い、前記スクランブル後のパディング後制御データのうちの、スクランブルされているダミーデータを、前記ダミーデータに置換して、置換データを生成し、前記置換データの誤り訂正符号化を行う送信装置で得られる誤り訂正符号を、前記置換データに復号する誤り訂正を行い、前記置換データを対象として、デスクランブルを行うステップを含み、前記送信装置は、前記誤り訂正符号化によって得られた誤り訂正符号に含まれる前記ダミーデータの削除、及び、前記誤り訂正符号のパリティビットのパンクチャである短縮化を行い、前記送信装置で得られる短縮化後の誤り訂正符号に、前記ダミーデータをパディングし、パリティビットのデパンクチャを行うことにより、短縮化前の誤り訂正符号を復元するステップをさらに含み、前記誤り訂正符号化によって得られた誤り訂正符号を含むフレームである新フレームは、DVB-T.2に規定されたT2フレームと多重化されて送信されるデータ処理方法である。
【００２１】
以上のような第３の側面においては、送信装置で得られる誤り訂正符号を、前記置換データに復号する誤り訂正が行われ、前記置換データを対象として、デスクランブルが行われる。
【００２２】
本発明の第４の側面のデータ処理装置は、復調を行うために必要な制御データを対象として、スクランブルを行い、前記スクランブル後の制御データに、ダミーデータをパディングし、前記スクランブル後の制御データに、ダミーデータをパディングしたパディング後スクランブルデータの誤り訂正符号化を行う送信装置で得られる誤り訂正符号を、前記パディング後スクランブルデータに復号する誤り訂正を行う誤り訂正手段と、前記パディング後スクランブルデータのうちの、前記ダミーデータを削除し、前記スクランブル後の制御データを出力する削除手段と、前記スクランブル後の制御データを対象として、デスクランブルを行うデスクランブル手段とを備え、前記送信装置は、前記誤り訂正符号化によって得られた誤り訂正符号に含まれる前記ダミーデータの削除、及び、前記誤り訂正符号のパリティビットのパンクチャである短縮化を行い、前記送信装置で得られる短縮化後の誤り訂正符号に、前記ダミーデータをパディングし、パリティビットのデパンクチャを行うことにより、短縮化前の誤り訂正符号を復元する復元手段をさらに備え、前記誤り訂正符号化によって得られた誤り訂正符号を含むフレームである新フレームは、DVB-T.2に規定されたT2フレームと多重化されて送信されるデータ処理装置である。
【００２３】
本発明の第４の側面のデータ処理方法は、復調を行うために必要な制御データを対象として、スクランブルを行い、前記スクランブル後の制御データに、ダミーデータをパディングし、前記スクランブル後の制御データに、ダミーデータをパディングしたパディング後スクランブルデータの誤り訂正符号化を行う送信装置で得られる誤り訂正符号を、前記パディング後スクランブルデータに復号する誤り訂正を行い、前記パディング後スクランブルデータのうちの、前記ダミーデータを削除し、前記スクランブル後の制御データを出力し、前記スクランブル後の制御データを対象として、デスクランブルを行うステップを含み、前記送信装置は、前記誤り訂正符号化によって得られた誤り訂正符号に含まれる前記ダミーデータの削除、及び、前記誤り訂正符号のパリティビットのパンクチャである短縮化を行い、前記送信装置で得られる短縮化後の誤り訂正符号に、前記ダミーデータをパディングし、パリティビットのデパンクチャを行うことにより、短縮化前の誤り訂正符号を復元するステップをさらに備え、前記誤り訂正符号化によって得られた誤り訂正符号を含むフレームである新フレームは、DVB-T.2に規定されたT2フレームと多重化されて送信されるデータ処理方法である。
【００２４】
以上のような第４の側面においては、送信装置で得られる誤り訂正符号を、前記パディング後スクランブルデータに復号する誤り訂正が行われ、前記パディング後スクランブルデータのうちの、前記ダミーデータが削除されて、前記スクランブル後の制御データが出力される。そして、前記スクランブル後の制御データを対象として、デスクランブルが行われる。
【００２５】
なお、データ処理装置は、独立した装置であっても良いし、１つの装置を構成している内部ブロックであっても良い。
【発明の効果】
【００２６】
本発明の第１ないし第４の側面によれば、PAPRが改善された制御データの処理を、容易に行うことができる。
【図面の簡単な説明】
【００２７】
【図１】制御データのスクランブルを行わずに、データを送信する送信装置の構成例を示すブロック図である。
【図２】送信装置が送信するOFDM信号のビットストリームのフォーマットを示す図である。
【図３】パダー２１、BCHエンコーダ２２、LDPCエンコーダ２３、及び、短縮化部２４の処理を説明する図である。
【図４】制御データのスクランブルを行わずに、データを送信する送信装置からのデータを受信する受信装置の構成例を示すブロック図である。
【図５】制御データのスクランブルを行って、データを送信する送信装置の第１の構成例を示すブロック図である。
【図６】パダー２１、スクランブラ１０１、BCHエンコーダ２２、LDPCエンコーダ２３、及び、短縮化部２４の処理を説明する図である。
【図７】制御データのスクランブルを行って、データを送信する送信装置からのデータを受信する受信装置の第１の構成例を示すブロック図である。
【図８】制御データのスクランブルを行って、データを送信する送信装置の第２の構成例を示すブロック図である。
【図９】スクランブラ１０１、パダー２１、BCHエンコーダ２２、LDPCエンコーダ２３、及び、短縮化部２４の処理を説明する図である。
【図１０】制御データのスクランブルを行って、データを送信する送信装置からのデータを受信する第２の受信装置の構成例を示すブロック図である。
【図１１】制御データのスクランブルを行って、データを送信する送信装置の第３の構成例を示すブロック図である。
【図１２】パダー２１、スクランブラ１０１、置換部１２１、BCHエンコーダ２２、LDPCエンコーダ２３、及び、短縮化部２４の処理を説明する図である。
【図１３】制御データのスクランブルを行って、データを送信する送信装置からのデータを受信する受信装置の第３の構成例を示すブロック図である。
【図１４】スクランブラ１０１の構成例を示すブロック図である。
【図１５】制御データのスクランブルを行う新規格に準拠した送信装置が送信するOFDM信号のビットストリームのフォーマットの第１の例を示す図である。
【図１６】制御データのスクランブルを行う新規格に準拠した送信装置が送信するOFDM信号のビットストリームのフォーマットの第２の例を示す図である。
【図１７】本発明を適用したコンピュータの一実施の形態の構成例を示すブロック図である。
【発明を実施するための形態】
【００２８】
以下、本発明の実施の形態について説明するが、その前に、前段階の準備として、制御データのスクランブルを行わずに、データを送信する送信装置と、そのような送信装置からのデータを受信する受信装置とについて、説明する。
【００２９】
［制御データのスクランブルを行わずに、データを送信する送信装置］
【００３０】
図１は、制御データのスクランブルを行わずに、データを送信する送信装置である、例えば、DVB-T.2に準拠した送信装置の構成例を示すブロック図である。
【００３１】
送信装置は、ディジタル放送の番組としての画像データや音声データ等の実データを、送信の対象である対象データとして、例えば、OFDMにより送信する。
【００３２】
すなわち、送信装置では、対象データとしての１以上のストリームが、モードアダプテーション／マルチプレクサ(Mode Adaptation/Multiplexer)１１に供給される。
【００３３】
モードアダプテーション／マルチプレクサ１１は、送信のモード等のモード選択、及び、そこに供給される１以上のストリームの多重化を行い、その結果得られるデータを、パダー(padder)１２に供給する。
【００３４】
パダー１２は、モードアダプテーション／マルチプレクサ１１からのデータに対して、ダミーデータとしての、例えば、ゼロを必要な数だけパディングし（Nullを挿入し）、その結果得られるデータを、BBスクランブラ(BB Scrambler)１３に供給する。
【００３５】
BBスクランブラ１３は、パダー１２からのデータのスクランブル（エネルギ拡散）を行い、その結果得られるデータを、BCHエンコーダ(BCH encoder)１４に供給する。
【００３６】
BCHエンコーダ１４は、BBスクランブラ１３からのデータの誤り訂正符号化であるBCH符号化を行い、その結果得られるBCH符号を、LDPC符号化の対象であるLDPC対象データとして、LDPCエンコーダ(LDPC encoder)１５に供給する。
【００３７】
LDPCエンコーダ１５は、BCHエンコーダ１４からのLDPC対象データの誤り訂正符号化であるLDPC符号化を行い、その結果得られるLDPC符号を、ビットインターリーバ１６に供給する。
【００３８】
ビットインターリーバ１６は、LDPCエンコーダ１５からのLDPC符号を、ビット単位でインターリーブするビットインターリーブを行い、そのビットインターリーブ後のLDPC符号を、QAMエンコーダ(QAM encoder)１７に供給する。
【００３９】
QAMエンコーダ１７は、ビットインターリーバ１６からのLDPC符号を、そのLDPC符号の１ビット以上の単位（シンボル単位）で、直交変調の１つのシンボルを表す信号点にマッピングして直交変調（多値変調）を行う。
【００４０】
すなわち、QAMエンコーダ１７は、ビットインターリーバ１６からのLDPC符号を、１ビット以上のシンボル単位で、搬送波と同相のI成分を表すI軸と、搬送波と直交するQ成分を表すQ軸とで規定されるIQ平面（IQコンスタレーション）上の、LDPC符号の直交変調を行う変調方式で定める信号点にマッピングして直交変調を行う。
【００４１】
ここで、QAMエンコーダ１７で行われる直交変調の変調方式としては、例えば、DVB-Tの規格に規定されている変調方式を含む変調方式、すなわち、例えば、QPSK(Quadrature Phase Shift Keying)や、16QAM(Quadrature Amplitude Modulation)，64QAM，256QAM，1024QAM，4096QAM等がある。QAMエンコーダ１７において、いずれの変調方式による直交変調が行われるかは、例えば、送信装置のオペレータの操作に従って、あらかじめ設定される。なお、QAMエンコーダ１７では、その他、例えば、4PAM(Pulse Amplitude Modulation)その他の直交変調を行うことが可能である。
【００４２】
QAMエンコーダ１７での処理により得られるデータ（信号点にマッピングされたシンボル）は、時間インターリーバ(Time Interleaver)１８に供給される。
【００４３】
時間インターリーバ１８は、QAMエンコーダ１７からのデータ（シンボル）について、シンボル単位での時間インターリーブ（時間方向のインターリーブ）を行い、その結果得られるデータを、SISO/MISOエンコーダ(SISO/MISO encoder)１９に供給する。
【００４４】
SISO/MISOエンコーダ１９は、時間インターリーバ１８からのデータ（シンボル）に、時空間符号化を施し、周波数インターリーバ(Frequency Interleaver)２０に供給する。
【００４５】
周波数インターリーバ２０は、SISO/MISOエンコーダ１９からのデータ（シンボル）について、シンボル単位での周波数インターリーブ（周波数方向のインターリーブ）を行い、フレームビルダ／リソースアロケーション部(Frame Builder & Resource Allocation)２７に供給する。
【００４６】
パダー２１には、例えば、L1等と呼ばれる、送信装置から送信されるデータの復調を行うために必要な、伝送制御用の制御データ（signalling)が供給される。
【００４７】
パダー２１は、そこに供給される制御データに対して、ダミーデータとしての、例えば、ゼロを必要な数だけパディングし（Nullを挿入し）、その結果得られるデータを、BCHエンコーダ２２に供給する。
【００４８】
BCHエンコーダ２２は、パダー２１からのデータを、BCHエンコーダ１４と同様にBCH符号化し、その結果得られるBCH符号を、LDPCエンコーダ２３に供給する。
【００４９】
LDPCエンコーダ２３は、BCHエンコーダ２２からのデータを、LDPC対象データとして、LDPCエンコーダ１５と同様にLDPC符号化し、その結果得られるLDPC符号を、短縮化部２４に供給する。
【００５０】
短縮化部２４は、LDPCエンコーダ２３からのLDPC符号に含まれるダミーデータの削除(shortening)、及び、そのLDPC符号のパリティビットのパンクチャ(puncturing)である短縮化を行い、その短縮化後のLDPC符号を、QAMエンコーダ２５に供給する。
【００５１】
QAMエンコーダ２５は、QAMエンコーダ１７と同様に、短縮化部２４からのLDPC符号を、そのLDPC符号の１ビット以上の単位（シンボル単位）で、直交変調の１つのシンボルを表す信号点にマッピングして直交変調を行い、その結果得られるデータ（シンボル）を、周波数インターリーバ２６に供給する。
【００５２】
周波数インターリーバ２６は、周波数インターリーバ２０と同様に、QAMエンコーダ２５からのデータ（シンボル）について、シンボル単位での周波数インターリーブを行い、フレームビルダ／リソースアロケーション部２７に供給する。
【００５３】
フレームビルダ／リソースアロケーション部２７は、周波数インターリーバ２０、及び、２６からのデータ（シンボル）の必要な位置に、パイロット(Pilot)のシンボルを挿入し、その結果られるデータ（シンボル）から、所定の数のシンボルで構成される，例えば、T2フレームと呼ばれるDVB-T.2に準拠したフレームを構成して、OFDM生成部(OFDM generation)２８に供給する。
【００５４】
OFDM生成部２８は、フレームビルダ／リソースアロケーション部２７からのフレームに、IFFT(Inverse Fast Fourier Transform)等の必要な信号処理を施して、そのフレームに対応するOFDM信号を生成し、無線により送信する。
【００５５】
図２は、図１の送信装置が送信するOFDM信号のビットストリームのフォーマットを示す図である。
【００５６】
図１の送信装置が送信するOFDM信号のビットストリームは、T2フレームで構成される。
【００５７】
図２に示すように、T2フレームには、プリアンブルであるP1シンボル、及び、P2シンボル、並びに、Normalと呼ばれるシンボル及びFC（Flame Closing）と呼ばれるシンボル（ともにデータシンボル）が、その順に配置される。
【００５８】
なお、図２において（後述する図１５及び図１６でも同様）、GIは、ガードインターバルを表す。
【００５９】
あるガードインターバルから、次のガードインターバルまでの間のシンボル（P2シンボル、及び、データシンボル）が、OFDMにおいて、１回のIFFT（及びFFT）の対象となるOFDMシンボルである。
【００６０】
P1シンボルは、P1シグナリング(P1 signalling)を送信するためのシンボルである。P1シンボルには、S1とS2と呼ばれる伝送パラメータが含まれる。S1とS2は、OFDM信号が、SISO(Single Input Single Output (meaning one transmitting and one receiving antenna))、又は、MISO(Multiple Input, Single Output (meaning multiple transmitting antennas but one receiving antenna))のいずれの方式で送信されてくるのかや、P2シンボルのFFTを行うときのFFTサイズ（１回のFFTの対象とするサンプル（シンボル）の数）等を表す。
【００６１】
P1シンボルは、1K(=1024)個のシンボルを有効シンボルとして有し、その有効シンボルの一部と、残りとを、周波数シフトして、有効シンボルの前と後ろとに、それぞれコピーした構造になっており、OFDM信号の相関を求めることによって検出することができる。
【００６２】
なお、P1シンボルが含まれるフレームが、T2フレームである場合、そのP1シンボルに含まれるS1とS2は、フレームがT2フレームであることを表す情報（フレーム識別情報）を含む。
【００６３】
したがって、受信装置は、P1シンボルに含まれるS1及びS2を参照することにより、フレームがT2フレームであるか否かを識別することができる。
【００６４】
P2シンボルは、OFDM信号の復調を行うために必要なL1と呼ばれる制御データを送信するためのシンボルであり、L1には、第１及び第２の２つのデータ、すなわち、第１のデータとしてのL1ポストシグナリング(L1 post-signalling)と、第２のデータとしてのL1プレシグナリング(L1 pre-signalling)とがある。
【００６５】
L1プレシグナリングは、L1ポストシグナリングの復調を行うために必要な情報を含み、L1ポストシグナリングは、OFDM信号を受信する受信装置が、物理レイヤ（のlayer pipes）にアクセスするのに必要な情報、つまり、データシンボルの復調を行うために必要な情報を含む。
【００６６】
ここで、L1プレシグナリングには、例えば、ガードインターバル長、どのシンボル（サブキャリア）に、既知の信号であるパイロット信号が含まれるかのパイロット信号の配置を表すパイロットパターン(PP)、OFDM信号を伝送する伝送帯域の拡張の有無(BWT_EXT)、１つのT2フレームに含まれるOFDMシンボルの数(NDSYM)等が、データシンボルを復調するのに必要な情報として含まれる。
【００６７】
図３は、図１のパダー２１、BCHエンコーダ２２、LDPCエンコーダ２３、及び、短縮化部２４の処理を説明する図である。
【００６８】
所定長の制御データKsigであるL1プレシグナリング、若しくは、L1ポストシグナリング、又は、L1プレシグナリングとL1ポストシグナリングとの両方は、パダー２１に供給される。
【００６９】
パダー２１は、そこに供給される制御データKsigに対して、ダミーデータとしての、例えば、ゼロを必要な数だけパディングする。
【００７０】
すなわち、制御データKsigのデータ長（ビット数）は、後段のBCHエンコーダ２２で行われる誤り訂正符号化としてのBCH符号化の対象となるデータ長（情報ビット長）より短く、このため、パダー２１では、パディング後の制御データのデータ長（ビット数）が、後段のBCHエンコーダ２２で行われる誤り訂正符号化としてのBCH符号化の対象となるデータ長になるように、制御データに対して、ダミーデータとしてのゼロがパディングされる。
【００７１】
パディング後の制御データであるパディング後制御データKbchは、パダー２１からBCHエンコーダ２２に供給される。
【００７２】
BCHエンコーダ２２は、パダー２１からのパディング後制御データKbchの誤り訂正符号化としてのBCH符号化を行い、その結果得られるBCH符号Kldpcを、LDPCエンコーダ２３に供給する。
【００７３】
ここで、BCHエンコーダ２２では、パディング後制御データKbchに対して、BCH符号のパリティ(BCH Parity)ビットを求め、そのパリティビットを、パディング後制御データKbchに付加することにより、パディング後制御データKbchのBCH符号Kldpcを求める処理が、BCH符号化として行われる。
【００７４】
LDPCエンコーダ２３は、BCHエンコーダ２２からの、パディング後制御データKbchのBCH符号Kldpcの誤り訂正符号化としてのLDPC符号化を行い、その結果得られるLDPC符号Nldpcを、短縮化部２４に供給する。
【００７５】
ここで、LDPCエンコーダ２３では、パディング後制御データKbchのBCH符号Kldpcに対して、LDPC符号のパリティ(LDPC Parity)ビットを求め、そのパリティビットを、BCH符号Kldpcに付加することにより、BCH符号KldpcのLDPC符号Nldpcを求める処理が、LDPC符号化として行われる。
【００７６】
短縮化部２４は、LDPCエンコーダ２３からのLDPC符号Nldpcに含まれるダミーデータとしてのゼロの削除(shortening)、及び、そのLDPC符号Nldpcのパリティビットの（一部の）パンクチャ(puncturing)である短縮化を行い、その短縮化後のLDPC符号Npostを、QAMエンコーダ２５に供給する。
【００７７】
［制御データのスクランブルを行わずに、データを送信する送信装置からのデータを受信する受信装置］
【００７８】
図４は、制御データのスクランブルを行わずに、データを送信する図１の送信装置からのデータを受信する受信装置である、例えば、DVB-T.2に準拠した受信装置の構成例を示すブロック図である。
【００７９】
図４の受信装置は、図１の送信装置からのOFDM信号を受信して復調する。
【００８０】
すなわち、受信装置では、図１の送信装置からのOFDM信号が受信され、OFDM処理部(OFDM operation)３１に供給される。
【００８１】
OFDM処理部(OFDM operation)３１は、そこに供給されるOFDM信号のFFT等の信号処理を行い、その結果得られるデータ（シンボル）を、フレーム管理部(Frame Management)３２に供給する。
【００８２】
フレーム管理部３２は、OFDM処理部３１から供給されるシンボルで構成されるフレームの処理（フレーム解釈）を行い、フレーム（T2フレーム）内のデータシンボルに含まれる対象データのシンボルを、周波数デインターリーバ(Frequency Deinterleaver)３３に供給するとともに、フレーム内のP2シンボルに含まれる制御データのシンボルを、周波数デインターリーバ４３に供給する。
【００８３】
周波数デインターリーバ３３は、フレーム管理部３２からのシンボルについて、シンボル単位での周波数デインターリーブを行い、SISO/MISOデコーダ(SISO/MISO decoder)３４に供給する。
【００８４】
SISO/MISOデコーダ３４は、周波数デインターリーバ３３からのデータ（シンボル）の時空間復号を行い、時間デインターリーバ(Time Deinterleaver)３５に供給する。
【００８５】
時間デインターリーバ３５は、SISO/MISOデコーダ３４からのデータ（シンボル）について、シンボル単位での時間デインターリーブを行い、QAMデコーダ(QAM decoder)３６に供給する。
【００８６】
QAMデコーダ３６は、時間デインターリーバ３５からのシンボル（信号点に配置されたシンボル）をデマッピング（信号点配置復号）して直交復調し、その結果得られるデータ（シンボル）を、ビットデインターリーバ(Bit Deinterleaver)３７に供給する。
【００８７】
ビットデインターリーバ３７は、QAMデコーダ３６からのデータ（シンボル）について、図１のビットインターリーバ１６で行われたビットインターリーブにより並び替えられたビットの並びを元の並びに戻すビットデインターリーブを行い、その結果得られるLDPC符号を、LDPCデコーダ３８に供給する。
【００８８】
LDPCデコーダ３８は、ビットデインターリーバ３７からのLDPC符号のLDPC復号を行い、その結果得られるBCH符号を、BCHデコーダ３９に供給する。
【００８９】
BCHデコーダ３９は、LDPCデコーダ３８からのBCH符号のBCH復号を行い、その結果得られるデータを、BBデスクランブラ(BB DeScrambler)４０に供給する。
【００９０】
BBデスクランブラ４０は、BCHデコーダ３９からのデータのデスクランブル（エネルギ逆拡散）を行い、その結果得られるデータを、ヌル削除部(Null Deletion)４１に供給する。
【００９１】
ヌル削除部４１は、BBデスクランブラ４０からのデータから、図１のパダー１２で挿入されたNullを削除し、デマルチプレクサ(Demultiplexer)４２に供給する。
【００９２】
デマルチプレクサ４２は、ヌル削除部４１からのデータに多重化されている１以上のストリーム（対象データ）それぞれを分離して出力する。
【００９３】
一方、周波数デインターリーバ４３は、フレーム管理部３２からのシンボル（制御データのシンボル）について、シンボル単位での周波数デインターリーブを行い、QAMデコーダ(QAM decoder)４４に供給する。
【００９４】
QAMデコーダ４４は、周波数デインターリーバ４３からのシンボル（信号点に配置されたシンボル）をデマッピング（信号点配置復号）して直交復調し、その結果得られる、短縮化後のLDPC符号Npost（図３）を、復元部４５に供給する。
【００９５】
復元部４５は、QAMデコーダ４４からの短縮化後のLDPC符号Npostに、ダミーデータとしてのゼロをパディングし、LDPC符号のパリティビットのデパンクチャを行う復元処理を行うことにより、短縮化前のLDPC符号Nldpc（図３）を復元して、LDPCデコーダ(LDPC decoder)４６に供給する。
【００９６】
LDPCデコーダ４６は、復元部４５からのLDPC符号NldpcのLDPC復号を行い、その結果得られるBCH符号Kldpc（図３）を、BCHデコーダ(BCH decoder)４７に供給する。
【００９７】
BCHデコーダ４７は、LDPCデコーダ４６からのBCH符号KldpcのBCH復号を行い、その結果得られるパディング後制御データKbch（図３）を、削除部４８に供給する。
【００９８】
削除部４８は、パディング後制御データKbchにパディングされているダミーデータとしてのゼロを削除し、その結果得られる制御データKsig（図３）を、制御部４９に供給する。
【００９９】
制御部４９は、削除部４８からの制御データKsigに基づき、受信装置を構成する各ブロックを制御する。
【０１００】
［制御データのスクランブルを行って、データを送信する送信装置の第１の構成例］
【０１０１】
次に、ディジタル放送の新たな規格である新規格において、データの送信を行う単位となるフレームである新フレームとして、既存の規格である、例えば、DVB-T.2に規定されているT2フレーム（又は、T2フレームに準じたフレーム）を採用することとすると、新規格に準拠した受信装置では、その新フレーム（のOFDM信号）の処理を、容易に行うことができる。
【０１０２】
すなわち、例えば、新フレームとして、T2フレームを採用した新規格に準拠した受信装置では、DVB-T.2に準拠した受信装置と同様にして、新フレームの処理を行うことができる。
【０１０３】
なお、前述したように、T2フレームの、制御データとしてのL1が含まれるP2シンボルのOFDM信号のPAPRは、比較的大きい値になることがあるため、新規格のフレームである新フレームとして、上述したように、T2フレームを採用することとすると、新規格に準拠した受信装置では、P2シンボルのOFDM信号の電力が大きいときに、その電力が大きいOFDM信号がクリップされることがある。
【０１０４】
そして、受信装置において、OFDM信号がクリップされると、OFDM信号の信号品質が劣化し、OFDM信号の復調に、悪影響を及ぼすことがある。
【０１０５】
そこで、新規格では、復調を行うために必要な制御データ（のOFDM信号）のPAPRを改善する（理想的には、PAPRを1にする）ために、OFDM信号を送信する送信装置において、制御データのスクランブル（エネルギ拡散）を行うこととする。
【０１０６】
図５は、制御データのスクランブルを行って、データを送信する送信装置の第１の構成例を示すブロック図である。
【０１０７】
なお、図中、図１の送信装置と対応する部分については、同一の符号を付してあり、以下では、その説明は、適宜省略する。
【０１０８】
図５の送信装置は、モードアダプテーション／マルチプレクサ１１ないしOFDM生成部２８を有する点で、図１の送信装置と共通する。
【０１０９】
但し、図５の送信装置は、パダー２１とBCHエンコーダ２２との間に、スクランブラ１０１が新たに設けられている点で、図１の送信装置と相違する。
【０１１０】
スクランブラ１０１には、パダー２１から、パディング後制御データKbch（図３）が供給される。
【０１１１】
スクランブラ１０１は、パダー２１からのパディング後制御データKbchを対象として、スクランブル（エネルギ拡散）を行い、そのスクランブル後のパディング後制御データを出力する。
【０１１２】
スクランブラ１０１が出力するスクランブル後のパディング後制御データは、BCHエンコーダ２２に供給され、以下、BCHエンコーダ２２、LDPCエンコーダ２３、及び、短縮化部２４において、図１の送信装置と同様の処理が行われる。
【０１１３】
図６は、図５のパダー２１、スクランブラ１０１、BCHエンコーダ２２、LDPCエンコーダ２３、及び、短縮化部２４の処理を説明する図である。
【０１１４】
パダー２１には、所定長の制御データKsigが供給される。
【０１１５】
パダー２１は、そこに供給される制御データKsigに対して、ダミーデータとしてのゼロを必要な数だけパディングし、そのパディング後の制御データであるパディング後制御データKbchを、スクランブラ１０１に供給する。
【０１１６】
スクランブラ１０１は、パダー２１からのパディング後制御データKbchを対象として、スクランブルを行い、そのスクランブル後のパディング後制御データKbch(s)を、BCHエンコーダ２２に供給する。
【０１１７】
BCHエンコーダ２２は、パダー２１からのスクランブル後のパディング後制御データKbch(s)の誤り訂正符号化としてのBCH符号化を行い、その結果得られるBCH符号Kldpcを、LDPCエンコーダ２３に供給する。
【０１１８】
すなわち、BCHエンコーダ２２では、図３で説明した場合と同様に、スクランブル後のパディング後制御データKbch(s)に対して、BCH符号のパリティビットが求められ、そのパリティビットが、スクランブル後のパディング後制御データKbch(s)に付加されることにより、スクランブル後のパディング後制御データKbch(s)のBCH符号Kldpcが求められる。
【０１１９】
LDPCエンコーダ２３は、BCHエンコーダ２２からの、スクランブル後のパディング後制御データKbch(s)のBCH符号Kldpcの誤り訂正符号化としてのLDPC符号化を行い、その結果得られるLDPC符号Nldpcを、短縮化部２４に供給する。
【０１２０】
すなわち、LDPCエンコーダ２３では、図３で説明した場合と同様に、スクランブル後のパディング後制御データKbch(s)のBCH符号Kldpcに対して、LDPC符号のパリティビットが求められ、そのパリティビットが、BCH符号Kldpcに付加されることにより、BCH符号KldpcのLDPC符号Nldpcが求められる。
【０１２１】
短縮化部２４は、LDPCエンコーダ２３からのLDPC符号Nldpcに含まれる、スクランブルされているダミーデータの削除、及び、そのLDPC符号Nldpcのパリティビットの（一部の）パンクチャである短縮化を行い、その短縮化後のLDPC符号Npostを、QAMエンコーダ２５に供給する。
【０１２２】
［制御データのスクランブルを行って、データを送信する送信装置からのデータを受信する受信装置の第１の構成例］
【０１２３】
図７は、制御データのスクランブルを行って、データを送信する図５の送信装置からのデータを受信する受信装置の構成例を示すブロック図である。
【０１２４】
なお、図中、図４の受信装置と対応する部分については、同一の符号を付してあり、以下では、その説明は、適宜省略する。
【０１２５】
図７の受信装置は、OFDM処理部３１ないしQAMデコーダ４４、及び、LDPCデコーダ４６ないし制御部４９を有する点で、図４の受信装置と共通する。
【０１２６】
但し、図７の受信装置は、復元部４５に代えて、復元部１１１が設けられているとともに、BCHデコーダ４７と削除部４８との間に、デスクランブラ１１２が新たに設けられている点で、図４の受信装置と相違する。
【０１２７】
図７の受信装置において、QAMデコーダ４４は、図４の受信装置と同様に、短縮化後のLDPC符号Npost（図６）を出力し、その短縮化後のLDPC符号Npostは、復元部１１１に供給される。
【０１２８】
復元部１１１は、QAMデコーダ４４からの短縮化後のLDPC符号Npostから、短縮化前のLDPC符号Nldpc（図６）を復元して、LDPCデコーダ４６に供給する。
【０１２９】
ここで、図５の送信装置では、図６で説明したように、スクランブラ１０１（図５）において、パディング後制御データKbchがスクランブルされ、短縮化部２４（図５）において、そのスクランブル後のパディング後制御データKbch(s)のBCH符号KldpcのLDPC符号Nldpcに含まれる、スクランブルされているダミーデータの削除、及び、そのLDPC符号Nldpcのパリティビットのパンクチャである短縮化により、LDPC符号Nldpcが、LDPC符号Npostに短縮化される。
【０１３０】
したがって、そのような短縮化が行われたLDPC符号Npostから、元の（短縮化前の）LDPC符号Nldpcを復元するには、短縮化後のLDPC符号Npostに、ダミーデータそのものではなく、スクランブルされているダミーデータをパディングする必要がある。
【０１３１】
すなわち、図１の送信装置では、パディング後制御データKbchのスクランブルが行われないため、そのような送信装置からのデータを受信する受信装置（図４）では、短縮化後のLDPC符号Npost（図３）を、短縮化前のLDPC符号Nldpc（図３）に復元するにあたり、ダミーデータとしてのゼロそのものをパディングすれば良い。
【０１３２】
一方、図５の送信装置では、制御データのPAPRの改善のために、パディング後制御データKbchを対象としたスクランブルが行われるため、そのような送信装置からのデータを受信する受信装置（図７）では、短縮化後のLDPC符号Npost（図６）を、短縮化前のLDPC符号Nldpc（図６）に復元するにあたり、ダミーデータから、短縮化前のLDPC符号Nldpcに含まれていた、スクランブルされているダミーデータを生成し、その後に、そのスクランブルされているダミーデータのパディングを行う必要がある。
【０１３３】
したがって、図７の受信装置において、復元部１１１は、短縮化後のLDPC符号Npost（図６）を、短縮化前のLDPC符号Nldpc（図６）に復元するにあたり、図４の受信装置の復元部４５では行われない、スクランブルされているダミーデータを生成する処理を、新たに行う必要がある。
【０１３４】
復元部１１１は、スクランブルされているダミーデータを生成し、その後、QAMデコーダ４４からの短縮化後のLDPC符号Npostに、スクランブルされているダミーデータをパディングするとともに、LDPC符号のパリティビットのデパンクチャを行うことにより、短縮化前のLDPC符号Nldpc（図６）を復元して、LDPCデコーダ４６に供給する。
【０１３５】
LDPCデコーダ４６は、復元部１１１からのLDPC符号NldpcのLDPC復号を行い、その結果得られるBCH符号Kldpc（図６）を、BCHデコーダ４７に供給する。
【０１３６】
BCHデコーダ４７は、LDPCデコーダ４６からのBCH符号KldpcのBCH復号を行い、その結果得られるスクランブル後のパディング後制御データKbch(s)（図６）を、デスクランブラ１１２に供給する。
【０１３７】
デスクランブラ１１２は、BCHデコーダ４７からの、スクランブル後のパディング後制御データKbch(s)のデスクランブル（エネルギ逆拡散）を行い、ダミーデータそのものとしてのゼロがパディングされた制御データ（パディング後制御データ）Kbchを得て、削除部４８に供給する。
【０１３８】
削除部４８は、パディング後制御データKbchにパディングされているダミーデータとしてのゼロを削除し、その結果得られる制御データKsig（図６）を、制御部４９に供給する。
【０１３９】
以上のように、図５の送信装置において、パディング後制御データKbchを対象としたスクランブルを行う場合には、そのような送信装置からのデータを受信する受信装置（図７）では、スクランブルを元に戻すデスクランブルの他、短縮化後のLDPC符号Npost（図６）を、短縮化前のLDPC符号Nldpc（図６）に復元するにあたり、ダミーデータから、短縮化前のLDPC符号Nldpcに含まれていた、スクランブルされているダミーデータを生成する必要がある。
【０１４０】
そのため、図７の受信装置では、ダミーデータとしてのゼロそのものをパディングし、LDPC符号のパリティビットのデパンクチャを行う復元部４５（図４）に代えて、その復元部４５とは異なる処理を行う復元部１１１、すなわち、スクランブルされているダミーデータを生成し、その後、スクランブルされているダミーデータをパディングし、LDPC符号のパリティビットのデパンクチャを行う復元部１１１を設ける必要がある。
【０１４１】
［制御データのスクランブルを行って、データを送信する送信装置の第２の構成例］
【０１４２】
図８は、制御データのスクランブルを行って、データを送信する送信装置の第２の構成例を示すブロック図である。
【０１４３】
なお、図中、図１又は図５の送信装置と対応する部分については、同一の符号を付してあり、以下では、その説明は、適宜省略する。
【０１４４】
図８の送信装置は、モードアダプテーション／マルチプレクサ１１ないしOFDM生成部２８を有する点で、図１の送信装置と共通する。
【０１４５】
但し、図８の送信装置は、パダー２１の前段に、図５で説明したスクランブラ１０１が新たに設けられている点で、図１の送信装置と相違する。
【０１４６】
スクランブラ１０１には、所定長の制御データが供給される。
【０１４７】
スクランブラ１０１は、そこに供給される制御データを対象として、スクランブルを行い、そのスクランブル後の制御データを出力する。
【０１４８】
スクランブラ１０１が出力するスクランブル後の制御データは、パダー２１に供給され、以下、パダー２１、BCHエンコーダ２２、LDPCエンコーダ２３、及び、短縮化部２４において、図１の送信装置と同様の処理が行われる。
【０１４９】
図９は、図８のスクランブラ１０１、パダー２１、BCHエンコーダ２２、LDPCエンコーダ２３、及び、短縮化部２４の処理を説明する図である。
【０１５０】
スクランブラ１０１には、所定長の制御データKsigが供給される。
【０１５１】
スクランブラ１０１は、そこに供給される制御データKbchを対象として、スクランブルを行い、そのスクランブル後の制御データKsig(s)を、パダー２１に供給する。
【０１５２】
パダー２１は、スクランブラ１０１からのスクランブル後の制御データKsig(s)に対して、ダミーデータとしてのゼロを必要な数だけパディングする。
【０１５３】
ここで、スクランブル後の制御データKsig(s)に対して、ダミーデータとしてのゼロをパディングして得られるデータを、パディング後スクランブルデータともいう。
【０１５４】
パダー２１において、スクランブル後の制御データKsig(s)に対して、ダミーデータとしてのゼロをパディングすることにより得られるパディング後スクランブルデータKbchは、BCHエンコーダ２２に供給される。
【０１５５】
BCHエンコーダ２２は、パダー２１からのパディング後スクランブルデータKbchの誤り訂正符号化としてのBCH符号化を行い、その結果得られるBCH符号Kldpcを、LDPCエンコーダ２３に供給する。
【０１５６】
すなわち、BCHエンコーダ２２では、図３で説明した場合と同様に、パディング後スクランブルデータKbchに対して、BCH符号のパリティビットが求められ、そのパリティビットが、パディング後スクランブルデータKbchに付加されることにより、パディング後スクランブルデータKbchのBCH符号Kldpcが求められる。
【０１５７】
LDPCエンコーダ２３は、BCHエンコーダ２２からのパディング後スクランブルデータKbchのBCH符号Kldpcの誤り訂正符号化としてのLDPC符号化を行い、その結果得られるLDPC符号Nldpcを、短縮化部２４に供給する。
【０１５８】
すなわち、LDPCエンコーダ２３では、図３で説明した場合と同様に、パディング後スクランブルデータKbchのBCH符号Kldpcに対して、LDPC符号のパリティビットが求められ、そのパリティビットが、BCH符号Kldpcに付加されることにより、BCH符号KldpcのLDPC符号Nldpcが求められる。
【０１５９】
短縮化部２４は、LDPCエンコーダ２３からのLDPC符号Nldpcに含まれるダミーデータの削除、及び、そのLDPC符号Nldpcのパリティビットのパンクチャである短縮化を行い、その短縮化後のLDPC符号Npostを、QAMエンコーダ２５に供給する。
【０１６０】
［制御データのスクランブルを行って、データを送信する送信装置からのデータを受信する受信装置の第２の構成例］
【０１６１】
図１０は、制御データのスクランブルを行って、データを送信する図８の送信装置からのデータを受信する受信装置の構成例を示すブロック図である。
【０１６２】
なお、図中、図４又は図７の受信装置と対応する部分については、同一の符号を付してあり、以下では、その説明は、適宜省略する。
【０１６３】
図１０の受信装置は、OFDM処理部３１ないし制御部４９を有する点で、図４の受信装置と共通する。
【０１６４】
但し、図１０の受信装置は、削除部４８と制御部４９との間に、図７で説明したデスクランブラ１１２が新たに設けられている点で、図４の受信装置と相違する。
【０１６５】
図１０の受信装置において、QAMデコーダ４４は、図４の受信装置と同様に、短縮化後のLDPC符号Npost（図９）を出力し、その短縮化後のLDPC符号Npostは、復元部４５に供給される。
【０１６６】
復元部４５は、QAMデコーダ４４からの短縮化後のLDPC符号Npostから、短縮化前のLDPC符号Nldpc（図９）を復元して、LDPCデコーダ４６に供給する。
【０１６７】
ここで、図８の送信装置では、図９で説明したように、スクランブラ１０１（図８）において、制御データKsigがスクランブルされ、パダー２１（図８）において、スクランブル後の制御データKsig(s)に対して、ダミーデータとしてのゼロがパディングされることにより、パディング後スクランブルデータKbchが得られる。
【０１６８】
そして、短縮化部２４（図８）において、そのパディング後スクランブルデータKbchのBCH符号KldpcのLDPC符号Nldpcに含まれるダミーデータそのものの削除、及び、そのLDPC符号Nldpcのパリティビットのパンクチャである短縮化により、LDPC符号Nldpcが、LDPC符号Npostに短縮化される。
【０１６９】
したがって、そのような短縮化が行われたLDPC符号Npostからの、元の（短縮化前の）LDPC符号Nldpcの復元は、図４の受信装置と同様の処理、つまり、短縮化後のLDPC符号Npostに、ダミーデータそのものをパディングすること（及び、LDPC符号のパリティビットのデパンクチャ）によって行うことができる。
【０１７０】
LDPCデコーダ４６は、復元部４５からのLDPC符号NldpcのLDPC復号を行い、その結果得られるBCH符号Kldpc（図９）を、BCHデコーダ４７に供給する。
【０１７１】
BCHデコーダ４７は、LDPCデコーダ４６からのBCH符号KldpcのBCH復号を行い、その結果得られるパディング後スクランブルデータKbch（図９）を、削除部４８に供給する。
【０１７２】
削除部４８は、パディング後スクランブルデータKbchにパディングされているダミーデータとしてのゼロを削除し、その結果得られるスクランブル後の制御データKsig(s)（図９）を、デスクランブラ１１２に供給する。
【０１７３】
デスクランブラ１１２は、削除部４８からのスクランブル後の制御データKsig(s)のデスクランブルを行い、元の制御データKsigを得て、制御部４９に供給する。
【０１７４】
以上のように、図８の送信装置において、PAPRを改善するために、制御データKsigを対象として、スクランブルを行い、スクランブル後の制御データKsig(s)に、ダミーデータをパディングし、スクランブル後の制御データKsig(s)に、ダミーデータをパディングしたパディング後スクランブルデータKbchの誤り訂正符号化としてのBCH符号化及びLDPC符号化を行い、そのBCH符号化及びLDPC符号化によって得られたLDPC符号に含まれるダミーデータの削除、及び、LDPC符号のパリティビットのパンクチャである短縮化を行う場合には、そのような送信装置からのデータを受信する受信装置（図１０）では、制御データのスクランブルを行わずに、データを送信する送信装置（図１）からのデータを受信する受信装置（図４）と同様の処理によって、短縮化後のLDPC符号Npostから、短縮化前のLDPC符号Nldpc（図９）を復元することができ、したがって、例えば、DVB-T.2に準拠した図４の受信装置を利用して、PAPRが改善された制御データの処理（復調）を、容易に行うことができる。
【０１７５】
［制御データのスクランブルを行って、データを送信する送信装置の第３の構成例］
【０１７６】
図１１は、制御データのスクランブルを行って、データを送信する送信装置の第３の構成例を示すブロック図である。
【０１７７】
なお、図中、図１、図５、又は、図８の送信装置と対応する部分については、同一の符号を付してあり、以下では、その説明は、適宜省略する。
【０１７８】
図１１の送信装置は、モードアダプテーション／マルチプレクサ１１ないしOFDM生成部２８を有する点で、図１の送信装置と共通する。
【０１７９】
但し、図１１の送信装置は、パダー２１とBCHエンコーダ２２との間に、図５や図８で説明したスクランブラ１０１と、置換部１２１とが新たに設けられている点で、図１の送信装置と相違する。
【０１８０】
図１１では、パダー２１において、制御データに、ダミーデータがパディングされ、その結果得られるパディング後制御データが、スクランブラ１０１に供給される。
【０１８１】
スクランブラ１０１は、パダー２１からのパディング後制御データを対象として、スクランブルを行い、そのスクランブル後のパディング後制御データを、置換部１２１に供給する。
【０１８２】
置換部１２１は、スクランブラ１０１からのスクランブル後のパディング後制御データのうちの、スクランブルされているダミーデータを、ダミーデータそのものに置換し、その置換によって得られる置換データを、BCHエンコーダ２２に供給する。
【０１８３】
そして、以下、BCHエンコーダ２２、LDPCエンコーダ２３、及び、短縮化部２４において、図１の送信装置と同様の処理が行われる。
【０１８４】
図１２は、図１１のパダー２１、スクランブラ１０１、置換部１２１、BCHエンコーダ２２、LDPCエンコーダ２３、及び、短縮化部２４の処理を説明する図である。
【０１８５】
パダー２１には、所定長の制御データKsigが供給される。
【０１８６】
パダー２１は、そこに供給される制御データKsigに対して、ダミーデータとしてのゼロを必要な数だけパディングし、そのパディング後の制御データであるパディング後制御データKbchを、スクランブラ１０１に供給する。
【０１８７】
スクランブラ１０１は、パダー２１からのパディング後制御データKbchを対象として、スクランブルを行い、そのスクランブル後のパディング後制御データKbch(s)を、置換部１２１に供給する。
【０１８８】
置換部１２１は、スクランブラ１０１からのスクランブル後のパディング後制御データKbch(s)のうちの、スクランブルされているダミーデータを、ダミーデータそのものであるゼロに置換し、その置換によって得られる置換データKbch(r)を、BCHエンコーダ２２に供給する。
【０１８９】
BCHエンコーダ２２は、置換部１２１からの置換データKbch(r)の誤り訂正符号化としてのBCH符号化を行い、その結果得られるBCH符号Kldpcを、LDPCエンコーダ２３に供給する。
【０１９０】
すなわち、BCHエンコーダ２２では、図３で説明した場合と同様に、置換データKbch(r)に対して、BCH符号のパリティビットが求められ、そのパリティビットが、置換データKbch(r)に付加されることにより、置換データKbch(r)のBCH符号Kldpcが求められる。
【０１９１】
LDPCエンコーダ２３は、BCHエンコーダ２２からの置換データKbch(r)のBCH符号Kldpcの誤り訂正符号化としてのLDPC符号化を行い、その結果得られるLDPC符号Nldpcを、短縮化部２４に供給する。
【０１９２】
すなわち、LDPCエンコーダ２３では、図３で説明した場合と同様に、置換データKbch(r)のBCH符号Kldpcに対して、LDPC符号のパリティビットが求められ、そのパリティビットが、BCH符号Kldpcに付加されることにより、BCH符号KldpcのLDPC符号Nldpcが求められる。
【０１９３】
短縮化部２４は、LDPCエンコーダ２３からのLDPC符号Nldpcに含まれるダミーデータの削除、及び、そのLDPC符号Nldpcのパリティビットのパンクチャである短縮化を行い、その短縮化後のLDPC符号Npostを、QAMエンコーダ２５に供給する。
【０１９４】
［制御データのスクランブルを行って、データを送信する送信装置からのデータを受信する受信装置の第３の構成例］
【０１９５】
図１３は、制御データのスクランブルを行って、データを送信する図１１の送信装置からのデータを受信する受信装置の構成例を示すブロック図である。
【０１９６】
なお、図中、図４、図７、又は、図１０の受信装置と対応する部分については、同一の符号を付してあり、以下では、その説明は、適宜省略する。
【０１９７】
図１３の受信装置は、OFDM処理部３１ないし制御部４９を有する点で、図４の受信装置と共通する。
【０１９８】
但し、図１３の受信装置は、BCHデコーダ４７と削除部４８との間に、図７や図１０で説明したデスクランブラ１１２が新たに設けられている点で、図４の受信装置と相違する。
【０１９９】
図１３の受信装置において、QAMデコーダ４４は、図４の受信装置と同様に、短縮化後のLDPC符号Npost（図１２）を出力し、その短縮化後のLDPC符号Npostは、復元部４５に供給される。
【０２００】
復元部４５は、QAMデコーダ４４からの短縮化後のLDPC符号Npostから、短縮化前のLDPC符号Nldpc（図１２）を復元して、LDPCデコーダ４６に供給する。
【０２０１】
ここで、図１１の送信装置では、図１２で説明したように、パダー２１（図１１）において、制御データKsigに、ダミーデータがパディングされ、スクランブラ１０１（図１１）において、パディングによって得られるパディング後制御データKbchがスクランブルされることにより、スクランブル後のパディング後制御データKbch(s)が得られる。
【０２０２】
そして、置換部１２１において、スクランブル後のパディング後制御データKbch(s)に含まれる、スクランブルされているダミーデータが、ダミーデータそのものに置換され、その置換によって得られる置換データKbch(r)のBCH符号KldpcのLDPC符号Nldpcに含まれるダミーデータそのものの削除、及び、そのLDPC符号Nldpcのパリティビットのパンクチャである短縮化により、LDPC符号Nldpcが、LDPC符号Npostに短縮化される。
【０２０３】
したがって、そのような短縮化が行われたLDPC符号Npostからの、元の（短縮化前の）LDPC符号Nldpcの復元は、図４の受信装置と同様の処理、つまり、短縮化後のLDPC符号Npostに、ダミーデータそのものをパディングすることによって行うことができる。
【０２０４】
LDPCデコーダ４６は、復元部４５からのLDPC符号NldpcのLDPC復号を行い、その結果得られるBCH符号Kldpc（図１２）を、BCHデコーダ４７に供給する。
【０２０５】
BCHデコーダ４７は、LDPCデコーダ４６からのBCH符号KldpcのBCH復号を行い、その結果得られる置換データKbch(r)（図１２）を、デスクランブラ１１２に供給する。
【０２０６】
デスクランブラ１１２は、BCHデコーダ４７からの置換データKbch(r)のデスクランブルを行い、その結果得られるデータ、すなわち、デスクランブルされたダミーデータがパディングされたような状態の制御データ（以下、パディング後制御データともいう）を、削除部４８に供給する。
【０２０７】
削除部４８は、デスクランブラ１１２からのパディング後制御データに含まれる、デスクランブルされたダミーデータを削除し、その結果得られる制御データKsig（図１２）を、制御部４９に供給する。
【０２０８】
ここで、BCHデコーダ４７からデスクランブラ１１２に供給される置換データKbch(r)（図１２）には、復元部４５でパディングされたダミーデータそのものが含まれており、デスクランブラ１１２において、そのような置換データKbch(r)がデスクランブルされることにより、置換データKbch(r)に含まれるダミーデータは、デスクランブルされたダミーデータとなる。
【０２０９】
したがって、デスクランブラ１１２において、置換データKbch(r)がデスクランブルされることにより得られるパディング後制御データには、デスクランブルされたダミーデータが含まれる。つまり、置換データKbch(r)がデスクランブルされることにより得られるパディング後制御データは、制御データに、デスクランブルされたダミーデータがパディングされたような状態のデータとなる。
【０２１０】
そして、置換データKbch(r)がデスクランブルされることにより得られるパディング後制御データに含まれている、デスクランブルされたダミーデータの位置は、図３のパディング後制御データKbchに含まれているダミーデータそのものの位置と同一であり、したがって、図１３の受信装置の削除部４８では、図４の受信装置の削除部４８が行うのと同様の処理によって、デスクランブラ１１２からのパディング後制御データに含まれている、デスクランブルされたダミーデータを削除することができる。
【０２１１】
以上のように、図１１の送信装置において、制御データKsigに、ダミーデータをパディングし、PAPRを改善するために、パディング後の制御データであるパディング後制御データKbchを対象として、スクランブルを行い、スクランブル後のパディング後制御データKbch(s)のうちの、スクランブルされているダミーデータを、ダミーデータに置換し、その置換によって得られる置換データKbch(r)の誤り訂正符号化としてのBCH符号化及びLDPC符号化を行い、そのBCH符号化及びLDPC符号化によって得られたLDPC符号に含まれるダミーデータの削除、及び、LDPC符号のパリティビットのパンクチャである短縮化を行う場合には、そのような送信装置からのデータを受信する受信装置（図１３）では、制御データのスクランブルを行わずに、データを送信する送信装置（図１）からのデータを受信する受信装置（図４）と同様の処理によって、短縮化後のLDPC符号Npostから、短縮化前のLDPC符号Nldpc（図９）を復元することができ、したがって、例えば、DVB-T.2に準拠した図４の受信装置を利用して、PAPRが改善された制御データの処理（復調）を、容易に行うことができる。
【０２１２】
なお、図１３の受信装置において（図４の受信装置でも同様）、制御部４９が、制御データそのものではなく、（デスクランブルされた）ダミーデータがパディングされた状態の制御データ（パディング後制御データ）を受け付けるインターフェースを有する場合には、削除部４８を設ける必要がなく、受信装置を小型に構成することができる。
【０２１３】
［スクランブラ１０１の構成例］
【０２１４】
図１４は、スクランブラ１０１（図５、図８、図１１）の構成例を示すブロック図である。
【０２１５】
スクランブラ１０１は、レジスタ群２０１、並びに、EXOR回路２０２及び２０３を有する。
【０２１６】
レジスタ群２０１は、例えば、１５個のレジスタ#1ないし#15を有し、各レジスタ#iは、スクランブル対象のデータ（の各ビット）に同期して、前段のレジスタ#i-1にラッチされたビットをラッチする。
【０２１７】
なお、レジスタ群２０１の１番目（最初）のレジスタ#1には、EXOR回路２０２の出力が供給され、レジスタ#1は、EXOR回路２０２の出力をラッチする。
【０２１８】
EXOR回路２０２（第１のEXOR回路）は、例えば、レジスタ群２０１のレジスタ#1ないし#15のうちの、１４番目のレジスタ#14にラッチされたビットと、１５番目のレジスタ#15にラッチされたビットとの排他的論理和を演算し、その演算結果を、レジスタ群２０１の１番目のレジスタ#1と、EXOR回路２０３に供給する。
【０２１９】
EXOR回路２０３には、EXOR回路２０２の出力（１４番目のレジスタ#14にラッチされたビットと、１５番目のレジスタ#15にラッチされたビットとの排他的論理和の演算結果）の他、スクランブル対象のデータ（制御データ（図８）、又は、パディング後制御データ（図１１））が供給される。
【０２２０】
EXOR回路２０３（第２のEXOR回路）は、EXOR回路２０２の出力と、スクランブル対象のデータとの排他的論理和を演算し、その演算結果を、スクランブル後のデータとして出力する。
【０２２１】
以上のように構成されるスクランブラ１０１では、レジスタ群２０１の１ないし１５番目のレジスタ#1ないし#15に、初期値として、例えば、ビット1,0,0,1,0,1,0,1,0,0,0,0,0,0,0が、それぞれセットされる。
【０２２２】
その後、レジスタ群２０１の、１番目のレジスタ#1を除く各レジスタ#iは、スクランブル対象のデータに同期して、前段のレジスタ#i-1にラッチされたビットをラッチする。
【０２２３】
また、レジスタ群２０１の１番目のレジスタ#1は、EXOR回路２０２の出力をラッチする。
【０２２４】
EXOR回路２０２では、１４番目のレジスタ#14にラッチされたビットと、１５番目のレジスタ#15にラッチされたビットとの排他的論理和が演算され、その演算結果として得られるM系列（を構成するビット）が、レジスタ群２０１の１番目のレジスタ#1と、EXOR回路２０３に供給される。
【０２２５】
EXOR回路２０３では、EXOR回路２０２からのM系列と、スクランブル対象のデータとの排他的論理和が演算されることにより、スクランブル対象のデータがスクランブルされ、スクランブル後のデータが出力される。
【０２２６】
なお、受信装置（図７、図１０、図１３）のデスクランブラ１１２も、スクランブラ１０１と同様に構成される。
【０２２７】
［新規格のビットストリームのフォーマット］
【０２２８】
図１５は、制御データのスクランブルを行う新規格に準拠した送信装置、すなわち、図５や、図８、図１１の送信装置が送信するOFDM信号のビットストリームのフォーマットの第１の例を示す図である。
【０２２９】
図１５において、新規格に準拠した送信装置が送信するOFDM信号のビットストリームは、新フレームで構成される。
【０２３０】
新規格において、新フレームは、データの送信を行う単位となるフレームであり、図１５では、新フレームとして、既存の規格である、例えば、DVB-T.2に規定されているT2フレームが採用されている。
【０２３１】
したがって、新フレームは、図２で説明したT2フレームと同様に、P1シンボル、P2シンボル、データシンボル（Normalと呼ばれるシンボル及びFCと呼ばれるシンボル）が、その順に配置されて構成される。
【０２３２】
この場合、新フレーム（のOFDM信号）の処理する、新規格に準拠した受信装置は、DVB-T.2に準拠した受信装置を利用して（DVB-T.2に準拠した受信装置の僅かな仕様変更を行うだけで）構成することができる。
【０２３３】
なお、図２で説明したように、T2フレームの先頭に配置されたプリアンブルであるP1シンボルに含まれるS1とS2には、フレームがT2フレームであることを表すフレーム識別情報が含まれるが、新フレームのP1シンボルに含まれるS1とS2には、フレームが新フレームであることを表すフレーム識別情報が含まれる。
【０２３４】
この場合、OFDM信号を受信する受信装置では、フレームのP1シンボルに含まれるS1とS2に含まれるフレーム識別情報によって、フレームが、T2フレームであるかどうかや、新フレームであるかどうかを識別することができる。
【０２３５】
図１６は、制御データのスクランブルを行う新規格に準拠した送信装置、すなわち、図５や、図８、図１１の送信装置が送信するOFDM信号のビットストリームのフォーマットの第２の例を示す図である。
【０２３６】
図１６において、新規格に準拠した送信装置が送信するOFDM信号のビットストリームは、T2フレームと新フレームとで構成される。
【０２３７】
すなわち、図１６では、新規格に準拠した送信装置において、新フレームは、DVB-T.2に規定されたT2フレームと多重化されて送信される。
【０２３８】
ここで、新規格に準拠した送信装置、すなわち、図５や、図８、図１１の送信装置は、図１の送信装置を構成するモードアダプテーション／マルチプレクサ１１ないしOFDM生成部２８を有しているので、DVB-T.2に規定されたT2フレームを構成することができる。
【０２３９】
そこで、新規格に準拠した送信装置では、新フレームとT2フレームとを構成し、それらの新フレームとT2フレームとを（時分割）多重化して送信することができる。
【０２４０】
なお、図１６でも、図１５の場合と同様に、新フレームとしては、DVB-T.2に規定されているT2フレームを採用することができる。
【０２４１】
そして、図１５で説明したように、T2フレームのP1シンボル（に含まれるS1とS2）には、フレームがT2フレームであることを表すフレーム識別情報を含め、新フレームのP1シンボルには、フレームが新フレームであることを表すフレーム識別情報を含めることにより、OFDM信号を受信する受信装置では、フレームのP1シンボルに含まれるフレーム識別情報によって、フレームが、T2フレームであるかどうかや、新フレームであるかどうかを識別することができる。
【０２４２】
［本発明を適用したコンピュータの説明］
【０２４３】
次に、上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０２４４】
そこで、図１７は、上述した一連の処理を実行するプログラムがインストールされるコンピュータの一実施の形態の構成例を示している。
【０２４５】
プログラムは、コンピュータに内蔵されている記録媒体としてのハードディスク３０５やROM３０３に予め記録しておくことができる。
【０２４６】
あるいはまた、プログラムは、リムーバブル記録媒体３１１に格納（記録）しておくことができる。このようなリムーバブル記録媒体３１１は、いわゆるパッケージソフトウエアとして提供することができる。ここで、リムーバブル記録媒体３１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０２４７】
なお、プログラムは、上述したようなリムーバブル記録媒体３１１からコンピュータにインストールする他、通信網や放送網を介して、コンピュータにダウンロードし、内蔵するハードディスク３０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０２４８】
コンピュータは、CPU(Central Processing Unit)３０２を内蔵しており、CPU３０２には、バス３０１を介して、入出力インタフェース３１０が接続されている。
【０２４９】
CPU３０２は、入出力インタフェース３１０を介して、ユーザによって、入力部３０７が操作等されることにより指令が入力されると、それに従って、ROM(Read Only Memory)３０３に格納されているプログラムを実行する。あるいは、CPU３０２は、ハードディスク３０５に格納されたプログラムを、RAM(Random Access Memory)３０４にロードして実行する。
【０２５０】
これにより、CPU３０２は、上述したフローチャートにしたがった処理、あるいは上述したブロック図の構成により行われる処理を行う。そして、CPU３０２は、その処理結果を、必要に応じて、例えば、入出力インタフェース３１０を介して、出力部３０６から出力、あるいは、通信部３０８から送信、さらには、ハードディスク３０５に記録等させる。
【０２５１】
なお、入力部３０７は、キーボードや、マウス、マイク等で構成される。また、出力部３０６は、LCD(Liquid Crystal Display)やスピーカ等で構成される。
【０２５２】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０２５３】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０２５４】
なお、本発明の実施の形態は、上述した実施の形態に限定されるものではなく、本発明の要旨を逸脱しない範囲において種々の変更が可能である。
【０２５５】
すなわち、本実施の形態では、新フレームのフォーマットとして、T2フレームのフォーマットを採用したが、新フレームとしては、T2フレームのフォーマット以外のフォーマットを採用することができる。
【符号の説明】
【０２５６】
１１  モードアダプテーション／マルチプレクサ，  １２  パダー，  １３  BBスクランブラ，  １４  BCHエンコーダ，  １５  LDPCエンコーダ，  １６  ビットインターリーバ，  １７  QAMエンコーダ，  １８  時間インターリーバ，  １９  SISO/MISOエンコーダ，  ２０  周波数インターリーバ，  ２１  パダー，  ２２  BCHエンコーダ，  ２３  LDPCエンコーダ，  ２４  短縮化部，  ２５  QAMエンコーダ，  ２６  周波数インターリーバ，  ２７  フレームビルダ／リソースアロケーション部，  ２８  OFDM生成部，  ３１  OFDM処理部，  ３２  フレーム管理部，  ３３  周波数デインターリーバ，  ３４  SISO/MISOデコーダ，  ３５  時間デインターリーバ，  ３６  QAMデコーダ，  ３７  ビットデインターリーバ，  ３８  LDPCデコーダ，  ３９  BCHデコーダ，  ４０  BBデスクランブラ，  ４１  ヌル削除部，  ４２  デマルチプレクサ，  ４３  周波数デインターリーバ，  ４４  QAMデコーダ，  ４５  復元部，  ４６  LDPCデコーダ，  ４７  BCHデコーダ，  ４８  削除部，  ４９  制御部，  １０１  スクランブラ，  １１１  復元部，  １１２  デスクランブラ，  １２１  置換部，  ２０１  レジスタ群，  ２０２，２０３  EXOR回路，  ３０１  バス，  ３０２  CPU，  ３０３  ROM，  ３０４  RAM，  ３０５  ハードディスク，  ３０６  出力部，  ３０７  入力部，  ３０８  通信部，  ３０９  ドライブ，  ３１０  入出力インタフェース，  ３１１  リムーバブル記録媒体
【図１】
0005648440.tif 000002
【図２】
0005648440.tif 000003
【図３】
0005648440.tif 000004
【図４】
0005648440.tif 000005
【図５】
0005648440.tif 000006
【図６】
0005648440.tif 000007
【図７】
0005648440.tif 000008
【図８】
0005648440.tif 000009
【図９】
0005648440.tif 000010
【図１０】
0005648440.tif 000011
【図１１】
0005648440.tif 000012
【図１２】
0005648440.tif 000013
【図１３】
0005648440.tif 000014
【図１４】
0005648440.tif 000015
【図１５】
0005648440.tif 000016
【図１６】
0005648440.tif 000017
【図１７】
0005648440.tif 000018